(57)【要約】【課題】  異なる通信規格に対応したユーザの使い勝手の良いＩＣカード読み取り装置を提供することである。【解決手段】  線形電力増幅器１６は、ＣＰＵ１２の指示に基づいて、TypeＡの無線信号を送信するときには、電源切り換え回路から供給されるTypeＡ用の電源電圧をアンテナ回路２０に供給し、TypeＢの無線信号を送信するときには、電源切り換え回路から供給されるTypeＢ用の電源電圧をアンテナ回路２０に供給する。これにより、TypeＡとTypeＢの両方のＩＣカードの読み取りを行うことができる。【選択図】図１
2005218020.tif 000002
【特許請求の範囲】
【請求項１】
ＩＣカードの複数の通信規格に対応した送受信の制御を行う１または複数の通信制御回路と、
無線信号の送受信を行うアンテナ回路と、
読み取り対象のＩＣカードの通信規格に対応する送信電力を前記アンテナ回路に供給する送信電力供給回路と、
前記送信電力供給回路に対し、前記複数の通信規格の中の何れの通信規格に対応する送信電力を供給するかを指示する制御部とを備えるＩＣカード読み取り装置。
【請求項２】
前記制御部は、異なる通信規格のＩＣカードを読み取る場合に、予め定めてある電圧または送信電力と該電圧または送信電力に対応する各通信規格の通信距離とに関するデータに基づいて、異なる通信規格のＩＣカードとの通信距離がほぼ同一になるような送信電力の供給を前記送信電力供給回路に指示する請求項１記載のＩＣカード読み取り装置。
【請求項３】
前記通信制御回路は、少なくとも第１及び第２の通信規格に対応する第１及び第２の通信制御回路からなり、前記第１の通信制御回路の送信信号の位相と、前記第２の通信制御回路の送信信号の位相とを同期させた請求項１または２記載のＩＣカード読み取り装置。
【請求項４】
前記制御部は、最初の読み取り時に、前記複数の通信規格の中で送信電力の最も大きい通信規格に対応する送信電力の供給を前記送信電力供給回路に指示し、前記ＩＣカードから受信した信号が送信信号の通信規格に適合するときには、前記ＩＣカードの読み取りを続行し、前記ＩＣカードから受信した信号が送信信号の通信規格に適合しないときには、次に送信電力の大きい通信規格に対応する送信電力の供給を前記送信電力供給回路に指示して前記ＩＣカードの読み取りを行う請求項１、２または３記載のＩＣカード読み取り装置。
【発明の詳細な説明】
【技術分野】
【０００１】
本発明は、非接触でＩＣカードの読み取り、あるいは書き込みを行うＩＣカード読み取り装置に関する。
【背景技術】
【０００２】
磁気カードの替わりに、ＩＣカードが公衆電話用のプリペイドカードや鉄道のプリペイドカードとして用いられてきている。
ＩＣカードは、接触式と非接触式の２つのタイプがあり、無線によりＩＣカードに電力を供給する非接触式のＩＣカードの利用が進んでいる。非接触式のＩＣカードは、通信距離の違いにより、密着型、近接型、近傍型の３種類に分類できる。近接型のＩＣカードとして、ＩＳＯのTypeＡとTypeＢ（ＩＳＯ１４４４３のTypeＡ、TypeＢ）が広く用いられている。
【０００３】
TypeＡあるいはTypeＢの通信規格に対応した専用の通信用ＩＣは開発されており、その通信用ＩＣを用いてＩＣカードの読み取り・書き込み装置も実現されている。
特許文献１には、ＩＣカードから受信する信号の信号強度を検出し、検出された信号強度に応じて無線送信電力を切り換えることが記載されている。
【特許文献１】特開２００２−１７００８２号公報
【発明の開示】
【発明が解決しようとする課題】
【０００４】
上述したように、特定の通信規格のＩＣカードを読み取り及び書き込むことのできる専用の装置は実現されているが、異なる通信規格のＩＣカードに対応した読み取り装置は実現されていない。
【０００５】
ＩＣカードと読み取り及び書き込み装置との通信距離は通信規格あるいはＩＣカードを含む制御部の仕様、性能差からくる違いにより異なっており、例えば、TypeＡの通信距離は２ｃｍ程度、TypeＢの通信距離は１０ｃｍ程度であるので、単に特定の通信規格に準拠した通信用ＩＣを用いて読み取り及び書き込み装置を設計した場合、１つの通信規格に準拠したＩＣカードに対しては最適な送信電力で信号を送信することができるが、他の通信規格に準拠したＩＣカードに対しては適正な送信電力で信号を送信することができず、異なる通信規格のＩＣカードを使用する場合に、ユーザにとって使い勝手の良いＩＣカード読み取り装置は実現されていなかった。
【０００６】
本発明の課題は、異なる通信規格に対応したユーザの使い勝手の良いＩＣカード読み取り装置を提供することである。
【課題を解決するための手段】
【０００７】
本発明のＩＣカード読み取り装置は、ＩＣカードの複数の通信規格に対応した送受信の制御を行う１または複数の通信制御回路と、無線信号の送受信を行うアンテナ回路と、読み取り対象のＩＣカードの通信規格に対応する送信電力を前記アンテナ回路に供給する送信電力供給回路と、前記送信電力供給回路に対し、前記複数の通信規格の中の何れの通信規格に対応する送信電力を供給するかを指示する制御部とを備える。
【０００８】
この発明によれば、異なる通信規格のＩＣカードを読み取ることができる、ユーザの使い勝手の良い読み取り装置を実現できる。
通信制御回路は、例えば、図１の通信制御回路１３及び１４に対応し、送信電力供給回路は、図１のダイオード１７，トランジスタ１８及び線形電力増幅器１６、あるいは図３のアッテネータ３５及び線形電力増幅器１６に対応する。
【０００９】
本発明の他の態様は、上記の発明において、前記制御部は、異なる通信規格のＩＣカードを読み取る場合に、予め定めてある電圧または送信電力と該電圧または送信電力に対応する各通信規格の通信距離とに関するデータに基づいて、異なる通信規格のＩＣカードとの通信距離がほぼ同一になるような送信電力の供給を前記送信電力供給回路に指示する請求項１記載のＩＣカード読み取り装置。
【００１０】
このように構成することで、異なる通信規格のＩＣカードをほぼ同じ通信距離で読み取ることができるので、ＩＣカードのユーザの使い勝手を向上できる。
本発明の他の態様は、上記の発明において、前記通信制御回路は、少なくとも第１及び第２の通信規格に対応する第１及び第２の通信制御回路からなり、前記第１の通信制御回路の送信信号の位相と、前記第２の通信制御回路の送信信号の位相とを同期させる。
【００１１】
このように構成することで、例えば、通信制御回路が、それぞれ別の通信規格に対応する第１及び第２の通信制御回路からなる場合に、第１の通信規格の送信信号から第２の通信規格の送信信号に切り換えるときに発生するノイズ及び送信信号と受信信号間のノイズを低減できる。
【００１２】
本発明の他の態様は、上記の発明において、前記制御部は、最初の読み取り時に、前記複数の通信規格の中で送信電力の最も大きい通信規格に対応する送信電力の供給を前記送信電力供給回路に指示し、前記ＩＣカードから受信した信号が送信信号の通信規格に適合するときには、前記ＩＣカードの読み取りを続行し、前記ＩＣカードから受信した信号が送信信号の通信規格に適合しないときには、次に送信電力の大きい通信規格に対応する送信電力の供給を前記送信電力供給回路に指示して前記ＩＣカードの読み取りを行う。
【００１３】
このように構成することで、送信電力の大きい通信規格のＩＣカードの読み取りを優先して行うことでＩＣカードの読み取りが成功する確率を高めることができる。
【発明の効果】
【００１４】
本発明によれば、異なる通信規格のＩＣカードを読み取ることができるので、ユーザの使い勝手の良い読み取り装置を実現できる。また、異なる通信規格のＩＣカードの通信距離をそろえることができるので、ユーザがＩＣカードを読み取らせるときにＩＣカード毎に読み取り距離を変えなければならないという操作上の違和感を解消できる。
【発明を実施するための最良の形態】
【００１５】
以下、本発明の実施の形態を図面を参照して説明する。図１は、第１の実施の形態のＩＣカード読み取り装置（読み取り及び書き込み装置）１１の回路図である。
図１において、ＣＰＵ（制御部）１２は、上位装置とのインタフェース制御及び送信電力の切り換え等を行うプロセッサであり、例えば、３２ビットの汎用のＣＰＵからなる。ＣＰＵ１２のＩＯポートからは、TypeＡとTypeＢの信号の送受信を切り換える切り換え信号Ｃが、トランジスタ１８のベースと通信制御回路１４に出力されている。
【００１６】
通信制御回路１３及び１４は、それぞれ異なる通信規格に対応した送受信制御を行う通信制御用ＩＣであり、例えば、通信制御回路１３は、ＩＳＯ１４４４３−TypeＡの通信規格に対応した通信制御を行い、通信制御回路１４は、ＩＳＯ１４４４３−TypeＢの通信規格に対応した通信制御を行う。
【００１７】
通信制御回路１３には、水晶発振器１０の基準クロック信号（例えば、13.56ＭＨｚの信号）が供給されており、その基準クロック信号と位相が同期したTypeＡ用の同期キャリアクロックＣＡを内部で生成する。この同期キャリアクロックＣＡに同期したタイミングでtypeＡの送信信号を生成して出力端子ＴxＡから出力する。同期キャリアクロックＣＡは、クロック端子ＣＫＡから通信制御回路１４のクロック端子ＣＫＢに出力される。
【００１８】
通信制御回路１４は、クロック端子ＣＫＢに入力するTypeＡ用の同期キャリアクロックＣＡに同期したTypeＢ用の同期キャリアクロックＣＢを生成し、その同期キャリアクロックＣＢに同期したタイミングでTypeＢの送信信号を生成して出力端子ＴxＢから出力する。
【００１９】
ＩＣカード側では、受信した無線信号から送信用のクロック信号を生成するので、ＩＣカードから送信される信号は、ＩＣカード読み取り装置１１で生成されるTypeＡの同期キャリアクロックＣＡと同期が取れることになる。
【００２０】
これにより、TypeＡ用の同期キャリアクロックＣＡと、TypeＢ用の同期キャリアクロックＣＢの位相が一致し、かつTypeＡのＩＣカード、あるいはTypeＢのＩＣカードから送信される無線信号の位相が一致する。従って、ＩＣカード読み取り装置１１側で送信信号をTypeＡからTypeＢに切り換えた場合、あるいはその反対に切り換えた場合に、２つの信号の位相ずれにより発生するノイズを低減できる。また、ＩＣカード側から送信される信号の位相もＩＣカード読み取り装置１１で生成する同期キャリアクロックＣＡ及びＣＢと位相が一致するので、内部のクロックと受信信号との位相差により発生するノイズも低減できる。
【００２１】
ローパスフィルタ（ＬＰＦ）１５は、通信制御回路１３から出力される矩形波の信号を正弦波の信号に変換して線形電力増幅器１６に出力する。
通信制御回路１４は、ＩＳＯ１４４４３−TypeＢに基づく信号を出力端子ＴｘＢからトランジスタ１９のベースに出力する。トランジスタ１９のコレクタには、抵抗Ｒ１，Ｒ２が並列に接続されており、その抵抗Ｒ１，Ｒ２から線形電力増幅器１６に信号が出力される。
【００２２】
線形電力増幅器１６には、TypeＡの通信規格に対応する送信電力を供給するためのＡ用電源の電圧Ｖaがダイオード１７を介して供給され、TypeＢの通信規格に対応する送信電力を供給するためのＢ用電源の電圧Ｖｂがトランジスタ１８を介して供給されている。
【００２３】
TypeＡ用の電源電圧ＶaとTypeＢ用の電源電圧Ｖbは、Ｖa＜Ｖbの関係にあるので、電圧Ｖaを供給した状態で、トランジスタ１８をオンさせることで、TypeＢの信号の送信に必要な電圧Ｖｂを、TypeＢ用の電源から線形電力増幅器１６に供給することができる。
【００２４】
線形電力増幅器１６は、通信制御回路１３から出力されるTypeＡの信号と、通信制御回路１４から出力されるTypeＢの信号の一方を選択してアンテナ回路２０に出力する。線形電力増幅回路１６は、TypeＡの信号を出力するときには、ダイオード１７を介して与えられるTypeＡ用の電源電圧Ｖａをアンテナ回路２０に供給する。また、線形電力増幅回路１６は、TypeＢの信号を出力するときには、トランジスタ１８を介して与えられるTypeＢ用の電源電圧Ｖｂをアンテナ回路２０に供給する。
【００２５】
アンテナ回路２０は、信号経路に直列に接続されたコンデンサＣ１と、並列に接続されたコイルＬ１とコンデンサＣ２とからなり、入力信号を無線信号に変換して空間に放射する。
【００２６】
アンテナ回路２０からある信号電力で無線信号を送信した場合のアンテナ面からの距離と磁界強度との関係は、図２に示すような特性となる。図２において、横軸は、アンテナ面からの距離（ｍｍ）を示し、縦軸はその点の磁界強度（Ａ／ｍ）を示す。
【００２７】
ある送信電力で無線信号を送信した場合に、ＩＣカードとＩＣカード読み取り装置１１との間で通信可能な磁界強度の下限値をｙ０とすると、アンテナ回路２０のアンテナの放射面からＩＣカードまでの距離がｘ０より大きくなると、通信ができなくなる。なお、アンテナ回路２０の送信電力を大きくすれば通信可能距離を延ばすことができる。
【００２８】
第１の実施の形態では、TypeＡのＩＣカードとTypeＢのＩＣカードの通信距離を同じにするために、通信距離の短いTypeＢの信号を送信するときの通信距離がTypeＡの通信距離とほぼ同じになるように、線形電力増幅器１６からアンテナ回路２０に供給する送信電力の特性を設計してある。TypeＡとTypeＢで同一の通信距離を実現するためには、線形電力増幅器１６に供給する電源電圧を調整する必要があり、本実施の形態では、TypeＡ用の電源電圧Ｖａを約４Ｖ、TypeＢ用の電源電圧を約４．５Ｖに設定することにより実現している。
【００２９】
自動利得調整回路（ＡＧＣ）２１は、アンテナ回路２０で受信された信号をTypeＡの通信規格に適合する信号レベルに増幅して通信制御回路１３に出力する。
自動利得調整回路（ＡＧＣ）２２は、自動利得調整回路２１で増幅された信号をTypeＢの通信規格に適合する信号レベルに増幅して通信制御回路１４に出力する。
【００３０】
次に、以上のような構成のＩＣカード読み取り装置１１の動作を説明する。ＣＰＵ１２は、TypeＡのＩＣカードを読み取る場合には、TypeＡの信号の送信を指示する切り換え信号Ｃ（例えば、ローレベルの信号）をトランジスタ１８のベースと通信制御回路１４に出力する。
【００３１】
通信制御回路１４は、ローレベルの切り換え信号Ｃを受信すると、出力端子ＴxＢからの送信信号の出力を中止する。線形電力増幅器１６は、ダイオード１７から出力されるTypeＡ用の電源電圧をアンテナ回路２０に供給し、同時に通信制御回路１３から出力されるTypeＡの信号をアンテナ回路２０に出力する。
【００３２】
ＣＰＵ１２は、TypeＢのＩＣカードを読み取る場合には、TypeＢの信号の送受信を指示する切り換え信号Ｃ（例えば、ハイレベルの信号）を出力する。
ハイレベルの切り換え信号Ｃが入力すると、通信制御回路１４は、TypeＢの信号をトランジスタ１９のベースに出力する。この信号はトランジスタ１９で増幅され線形電力増幅器１６に供給される。線形電力増幅器１６は、TypeＢ用の送信電力をアンテナ回路２０に供給して信号を出力する。この結果、アンテナ回路２０からはTypeＢの無線信号が空間に放射される。
【００３３】
アンテナ回路２０で受信された信号は、自動利得調整回路２１及び２２で増幅され、TypeＡの信号レベル及びTypeＢの信号レベルに変換されて通信制御回路１３及び１４に出力される。通信制御回路１３及び１４は、受信信号を所定長のデータに変換してデータバス２３に出力する。
【００３４】
ＣＰＵ１２は、通信制御回路１３及び１４から出力されるＩＣカードのタイプを示す情報を解析し、通信相手がTypeＡのＩＣカードか、TypeＢのＩＣカードかを確認する。そして、ＣＰＵ１２は、読み取り対象のＩＣカードの通信規格による通信を行う。
【００３５】
上述した第１の実施の形態によれば、線形電力増幅器１６に与える電圧を切り換え、線形電力増幅器１６からアンテナ回路２０に供給する送信電力（ＲＦ電力）をそれぞれの通信規格に対応した電力に変更することにより、異なる通信規格のＩＣカードを、１台のＩＣカード読み取り装置１１で読み取ることができる。また、ＩＣカードにデータを書き込むことができる。
【００３６】
さらに、TypeＢの信号を作成する際の基準となる同期キャリアクロックＣＢを、別の通信規格であるTypeＡの同期キャリアクロックＣＡと同期させているので、送信信号をTypeＡからTypeＢの信号に切り換えた場合、あるいはTypeＢからTypeＡに切り換えた場合でも、両者の信号位相が一致するのでノイズの発生を低減できる。また、ＩＣカードに内蔵されているＣＰＵは、受信した無線信号から送信用のクロック信号を生成するので、ＩＣカード読み取り装置１１から送信する無線信号と、ＩＣカードから送信される無線信号の位相を一致させることができる。これにより、受信信号と内部のクロックの位相のずれにより生じるノイズを低減できる。
【００３７】
また、通信制御回路１３及び１４として使用実績のある既存の通信制御用ＩＣを使用することで、装置の開発コスト及び製品のコストを低減し、信頼性の高い装置を実現できる。
【００３８】
次に、図３は、第２の実施の形態のＩＣカード読み取り装置３１のブロック図である。この第２の実施の形態のＩＣカード読み取り装置３１の構成は、基本的には、第１の実施の形態のＩＣカード読み取り装置１１と同じであるので、同一の機能のブロックには同じ符号をつけてそれらの説明は省略する。
【００３９】
この第２の実施の形態のＩＣカード読み取り装置３１が、第１の実施の形態と異なる点は、TypeＡとTypeＢの送信信号をＣＰＵ３２が、切換器３４を制御して切り換えると共に、アッテネータ３５の電位を切り換えて送信電力を制御している点である。
【００４０】
図３において、ＣＰＵ３２は、上位装置３３との間でデータを授受するためのインタフェース部と、切換器３４の切り換えと、アッテネータ（ＡＴＴ）３５の出力電位の制御を行う。
【００４１】
切換器３４は、ＣＰＵ３２の指示に従って、通信制御回路１３及び１４の出力信号の一方を選択してアッテネータ３５に出力する。
アッテネータ３５は、ＣＰＵ３２からの指示に従って線形電力増幅器１６に所定の電圧を出力する。
【００４２】
送信電力増幅器１６は、通信制御部１３または１４から出力される送信信号の電力を増幅してアンテナ回路２０に出力する。
次に、アッテネータ３の出力電位と、アンテナ回路２０から放射される無線信号の動作磁界強度とＩＣカードの通信距離の関係を、図４を参照して説明する。
【００４３】
図４に示すように、例えば、アッテネータ３５の出力電位が１Ｖのとき、アンテナ回路２０から出力される無線信号の磁界強度は２Ａ／ｍとなり、そのときのTypeＡのＩＣカードとの通信距離は７０ｍｍ、TypeＢのＩＣカードとの通信距離は４０ｍｍとなる。また、アッテネータ３５の出力電位が２．５Ｖのとき、アンテナ回路２０から出力される無線信号の磁界強度は５Ａ／ｍとなり、そのときのTypeＡのＩＣカードとの通信距離は１１０ｍｍ、TypeＢのＩＣカードとの通信距離は７０ｍｍとなる。
【００４４】
従って、TypeＡのＩＣカードに対しては、アッテネータ３５の出力電位を１Ｖに設定することにより、７０ｍｍの通信距離を確保することができる。また、TypeＢのＩＣカードに対しては、アッテネータ３５の出力電位を２．５Ｖに設定することにより、７０ｍｍの通信距離を確保することができる。
【００４５】
TypeＡのＩＣカードを読み取る場合には、ＣＰＵ３２は、切換器３４に通信制御回路１３から出力されるTypeＡの信号の選択を指示する切り換え信号を出力し、同時に、アッテネータ３５に出力電位を１Ｖに設定するように指示する信号を出力する。これらの信号は、ＣＰＵ３２の複数のＩＯポートを使用して出力される。
【００４６】
この結果、アンテナ回路２０からは、１Ａ／ｍの磁界強度の無線信号が放射されるので、TypeＡのＩＣカードとの間で７０ｍｍの距離で通信することができる。
TypeＢのＩＣカードを読み取る場合には、ＣＰＵ３２は、切換器３４に通信制御回路１４から出力されるTypeＢの信号の選択を指示する切り換え信号を出力し、同時にアッテネータ３５に出力電位を２．５Ｖに設定するように指示する信号を出力する。
【００４７】
この結果、アンテナ回路２０からは、２．５Ａ／ｍの磁界強度の無線信号が放射されるので、TypeＢのＩＣカードとの間で７０ｍｍの距離で通信することができる。
上述した第２の実施の形態によれば、ＣＰＵ３２が、アッテネータ３５の出力電位を制御することで、線形電力増幅器１６からアンテナ回路２０に供給する送信電力を制御することができる。これにより、アンテナ回路２０から放射する無線信号の磁界強度を調整し、異なる通信規格のＩＣカードに対する通信距離をそろえることができる。
【００４８】
このように通信規格の異なるＩＣカードの通信距離を一致させることで、ユーザがＩＣカードを読み取らせる場合に、使用するＩＣカードのタイプを意識せずに、常に一定の距離でＩＣカードの読み取りを行わせることができるので、ユーザの操作上の違和感を軽減でき、使い勝手の良い読み取り装置を実現できる。
【００４９】
次に、図５は、本発明の第３の実施の形態のＩＣカードの読み取り処理のフローチャートである。
この第３の実施の形態は、読み取り対象のＩＣカードのタイプ（準拠している通信規格）が事前に分からない場合に、ＩＣカードのタイプを判定して読み取りを行う例である。以下の処理は、例えば、ＣＰＵ３２により実行される。
【００５０】
第３の実施の形態のＩＣカード読み取り装置３１は、初期設定として、磁界距度の大きいTypeＢの無線信号を送信するように設定されている。ＩＣカードは、受信した無線信号により供給される電力により回路が動作し、ＩＣカードの通信規格（TypeＡまたはTypeＢ）に基づいた無線信号を送信する。
【００５１】
ＣＰＵ３２は、読み取り対象のＩＣカードがTypeＢのＩＣカードと仮定して、アンテナ回路２０で受信した信号を通信制御回路１４へ出力させ、通信制御回路１４から出力されるデータをTypeＢのデータとして読み込む（図５，Ｓ１１）。そして、受信した信号を正常に読み取れたか否かを判別する（図５，Ｓ１２）。
【００５２】
受信した信号を正常に読み取れた場合には（図５，Ｓ１２）、ステップＳ１３に進みＩＣカードのタイプ情報を読み取る。そして、読み取ったＩＣカードのタイプ情報が、初期設定されている通信規格（この場合、TypeＢ）と一致するか否かを判別する（図５，Ｓ１４）。ここで、タイプ情報を確認しているのは、ＩＣカードのタイプが異なっていてもたまたまデータが読み取れてしまうのを防止するためである。
【００５３】
初期設定されている通信規格とＩＣカードのタイプ情報が一致した場合には（Ｓ１４，ＹＥＳ）、対象となるＩＣカードをTypeＢのＩＣカードと判断し、以後の通信は、TypeＢの通信規格に対応した送信電力で行い、カードの読み取り及び書き込み処理を続行する（図５，Ｓ１５）。
【００５４】
ステップＳ１２において、受信した信号を正常に読み取れなかったと判断された場合（Ｓ１２，ＮＯ）、あるいはステップＳ１４において、ＩＣカード内部に記録されているカードのタイプ情報と送信した信号のタイプが異なると判断された場合には（Ｓ１４，ＮＯ）、ステップＳ１６に進み、磁界強度の小さいTypeＡの無線信号を送信し、受信した信号をTypeＡの信号として読み取る。そして、受信信号がTypeＡの信号として正常に読み取れたか否かを判別する（図５，Ｓ１７）。
【００５５】
受信信号をTypeＡの信号として読み取れた場合には（Ｓ１７、ＹＥＳ）、ステップＳ１８に進み、ＩＣカードの内部に記録されているタイプ情報を読み取る。そして、ＩＣカードに記録されているタイプ情報が、送信した信号のタイプ（この場合、TypeＡ）と一致するか否かを判別する（図５，Ｓ１９）。
【００５６】
タイプ情報が一致する場合には（Ｓ１９，ＹＥＳ）、ステップＳ２０に進み、磁界強度の小さいTypeＡの無線信号を用いて、ＩＣカードに対するデータの読み込み及び書き込み処理を続行する。
【００５７】
ステップＳ１７において、データを正常に読み取れなかった場合（Ｓ１７，ＮＯ）、あるいはＩＣカードのタイプ情報が不一致と判別されたときには（Ｓ１９、ＮＯ）、ステップＳ２１に進み、カード異常処理を実行する。
【００５８】
上述した第３の実施の形態は、最初に磁界強度の大きいTypeＢの送信電力で無線信号を送信するようにしたので、ＩＣカードから送信される無線信号を読み取る可能性を高くし、ＩＣカードの読み取りの成功率を高めることができる。
【００５９】
本発明は、上述した実施の形態に限らず、以下のように構成しても良い。
（１）実施の形態は、２つの通信制御用ＩＣを用いているが、複数の通信規格に対応した１個の通信制御用ＩＣが実現されたなら、１個のＩＣを用いて回路を構成して良い。
（２）本発明は、TypeＡ。TypeＢに限らず、非接触式のＩＣカードの通信規格であれば、どのような通信規格にも適用できる。
（３）送信電力を可変するため回路は、アッテネータに限らず、可変電源、スイッチングレギュレータ等を用いても良い。
【図面の簡単な説明】
【００６０】
【図１】第１の実施の形態のＩＣカード読み取り装置の回路図である。
【図２】アンテナからの距離と磁界強度の関係を示す図である。
【図３】第２の実施の形態のＩＣカード読み取り装置のブロック図である。
【図４】アッテネータの電位と磁界強度と通信距離の関係を示す図である。
【図５】第３の実施の形態のＩＣカード読み取り処理のフローチャートである。
【符号の説明】
【００６１】
１１，３１      ＩＣカード読み取り装置
１２，３２      ＣＰＵ
１３，１４      通信制御回路
１６      線形電力増幅器
２０      アンテナ回路
３４      切換器
３５      アッテネータ
【図１】
2005218020.tif 000003
【図２】
2005218020.tif 000004
【図３】
2005218020.tif 000005
【図４】
2005218020.tif 000006
【図５】
2005218020.tif 000007